(57)【要約】本発明は、人体の検体（例えば、剥離細胞及び液体培地）が入っているバイアルから剥離細胞を取得し、細胞塗抹スライドに薄く広げる剥離細胞の処理装置に関する技術であって、検体が入っているバイアルの上部入口に対して上下方向に出入りしながら、バイアルの内部から一部の検体を抽出した後、その抽出された検体の一部を、バイアルに隣接配置された細胞塗抹スライドに薄く塗り広げる技術に関する。本発明によれば、検体コレクタを備えることで、バイアルから一部の検体を吸引するプロセスにおいて、一部の剥離細胞を検体コレクタの下面に薄く広げられた状態で付着させるといった利点がある。
2021536008.tif 000002
【特許請求の範囲】
【請求項１】
ベース（１１０）と、
前記ベースの上面に立設されている支持壁（１２０）と、
前記ベースの上面に装着され、剥離細胞及び液体培地を入れた上部が開口された形態の容器部材を己の上面に装着させる容器支持部材（１３１）と、
前記支持壁の長さ方向に沿って前記容器支持部材によって把持された状態の前記容器部材の内外部を上下方向に出入りしながら、前記容器部材内の剥離細胞及び液体培地をコレクトする検体コレクタ（１４０）と、
前記検体コレクタを把持した状態で前記支持壁の壁に沿って動き、前記検体コレクタが前記容器部材内の剥離細胞及び液体培地を吸引するようにインタフェースする吸引ガイドブロック（１５０）と、
前記検体コレクタが前記容器部材の内側に挿入された状態で、前記検体コレクタが前記容器部材内の剥離細胞及び液体培地を吸引するように、ポンプ動作制御部の制御で動作し、前記吸引ガイドブロックを介して前記検体コレクタに吸引力を提供する吸引ポンプ（１６０）と、
前記容器支持部材の側部に配置されて前記容器支持部材と共に左右に動きながら、前記検体コレクタの鉛直下方に配置された状態で、前記検体コレクタの下方ストロークの際に、前記検体コレクタの下面と接触することによって、前記検体コレクタの下面に付着している剥離細胞を己の上面に付着させる細胞塗抹スライド（１７０）と、を含んで構成され、
前記吸引ガイドブロック（１５０）は、
ユーザの把持操作に応じて前記支持壁の壁に沿って動くように、ブロック状に形成されたユーザ操作ブロック（１５１）と、
前記ユーザ操作ブロックの下面に装着される支持プレート（１５２）と、
前記吸引ポンプと連通するように、前記支持プレートと前記ユーザ操作ブロックを順次貫通して上下方向に嵌り、前記検体コレクタの開口された上部が己の下部に嵌ることによって、前記吸引ポンプによる吸引力を前記検体コレクタに伝達する吸引ホルダ部材（１５３）と、
前記検体コレクタが前記吸引ホルダ部材に嵌った状態で、前記検体コレクタの内壁と前記吸引ホルダ部材の外壁が互いに密着された状態を維持するように、前記吸引ホルダ部材の外壁を取り囲む形で配置されるＯリング（１５４）と、
を備えることを特徴とする、剥離細胞の処理装置。
【請求項２】
前記検体コレクタ（１４０）は、
上部が開口された中空状のコレクタ本体（１４１）と、
前記容器部材の下部を機構的に遮断する形で配置され、前記容器部材内の剥離細胞及び液体培地の出入りが可能なように複数の通孔が形成された通孔型プレート（１４２）と、
前記通孔型プレートの下面に装着され、前記吸引ポンプの吸引動作に連動して前記コレクタ本体内に吸引力が提供された場合、前記容器部材内の液体培地は、前記コレクタ本体内に移動するように通過させ、前記容器部材内の剥離細胞は、己の下面でろ過する細胞コレクトフィルタ（１４３）と、を含んで構成されていることを特徴とする、請求項１に記載の剥離細胞の処理装置。
【請求項３】
前記吸引ガイドブロック（１５０）は、
前記吸引ホルダ部材に己の中央部が貫通された状態で前記支持プレートの下面に配置され、前記吸引ホルダ部材の外表面に沿って下方に移動する際に、前記吸引ホルダ部材に嵌った前記検体コレクタを前記吸引ホルダ部材から分離させ、弾性力により前記吸引ホルダ部材の外表面に沿って上方に移動する下方向エジェクタ（１５５）と、
前記支持プレートを貫通した状態で、己の下端部が前記下方向エジェクタに結合され、ユーザの操作に応じて、下方向ストロークの際に、前記下方向エジェクタを下方向にストロークさせる複数の可動ロッド（１５６）と、
前記支持プレートの上部に対応する前記複数の可動ロッドをそれぞれつなぐ形で配置されて、ユーザの操作に応じた下向きの外力を前記複数の可動ロッドに伝達し、前記複数の可動ロッドを下方向にストロークさせるストロークハンドル（１５７）と、
前記ストロークハンドルと前記支持プレートとの間に対応する前記可動ロッドに嵌り、前記可動ロッドの長さ方向に沿って伸びる引張力を備えることにより、前記下方向エジェクタの上面を前記支持プレートの下面に自然に当接させるバネと、をさらに含んで構成されていることを特徴とする、請求項２に記載の剥離細胞の処理装置。
【請求項４】
前記支持壁の前面に対応する前記ベースの上面から左右に長く配置される水平ガイドレール（２１０）と、
己の上面に前記容器支持部材が結合され、前記容器支持部材の側部に対応し、前記細胞塗抹スライドが装着されるスライド支持部材（１３２）が結合された状態で、前記水平ガイドレールに沿って左右に摺動する左右移動ガイドブロック（２２０）と、
前記水平ガイドレールの両端部にそれぞれ配置され、前記左右移動ガイドブロックの左右方向の動きを制御する第１及び第２のストッパ（２３０，２４０）と、をさらに含んで構成されていることを特徴とする、請求項３に記載の剥離細胞の処理装置。
【請求項５】
前記吸引ガイドブロックが位置する前記支持壁の前面から上下方向に長く配置されている垂直ガイドレール（３１０）と、
前記吸引ガイドブロックが一体に結合された状態で、前記垂直ガイドレールに沿って上下に摺動する上下移動ガイドブロック（３２０）と、
前記垂直ガイドレールの上下端部にそれぞれ配置され、前記吸引ガイドブロックの上下方向の動きを制御する第３及び第４のストッパ（３３０，３４０）と、
前記上下移動ガイドブロックに装着された状態で上方向の復元力を有するように構成されることにより、前記上下移動ガイドブロックを、前記垂直ガイドレールの上端部に配置される前記第３のストッパに自然に係止させるテンション部材と、をさらに含んで構成されていることを特徴とする、請求項４に記載の剥離細胞の処理装置。
【請求項６】
前記ベースに装着された状態で、前記吸引ホルダ部材と導管で連通結合され、前記容器部材内の液体培地が、前記吸引ポンプの動作によって前記吸引ホルダ部材まで引き込まれる場合、その引き込まれた液体培地を一時的に貯蔵する廃液容器部材（４１０）と、をさらに含んで構成されていることを特徴とする、請求項５に記載の剥離細胞の処理装置。
【請求項７】
前記垂直ガイドレールと平行に、前記支持壁の上下方向に沿って前記支持壁を長く貫通して形成されるカットスロット部材（１２１）と、
前記カットスロット部材に隣接する前記支持壁の背面に配置され、前記ポンプ動作制御部にスイッチのオン・オフ信号を伝達することにより、前記ポンプ動作制御部の制御下、前記吸引ポンプの動作をオン・オフさせるポンプ動作スイッチ（４２０）と、
前記カットスロット部材を貫通して前記吸引ガイドブロックの背面に結合された状態で、前記吸引ガイドブロックの上下方向の動きに連動して上下方向に動く際に、前記ポンプ動作スイッチに備えられるポンプ動作レバーの動きに応じて、前記ポンプ動作スイッチに前記スイッチのオン・オフ信号を生成させる吸引アーム（４３０）と、をさらに含んで構成されていることを特徴とする、請求項６に記載の剥離細胞の処理装置。
【発明の詳細な説明】
【技術分野】
【０００１】
本発明は、人体の剥離細胞を含む検体（例えば、剥離細胞及び液体培地（ｌｉｑｕｉｄ  ｍｅｄｉｕｍ））が入っているバイアルから剥離細胞を取得し、細胞塗抹スライドに薄く広げる剥離細胞の処理装置に関する技術である。
【０００２】
さらに詳しくは、本発明は、検体が入っているバイアルの上部入口に対して上下方向に出入りしながら、バイアルの内部から一部の検体を抽出した後、その抽出された検体の一部を、バイアルに隣接配置された細胞塗抹スライドに薄く塗り広げる技術に関する。
【背景技術】
【０００３】
一般的に、人体の検体から剥離細胞（ｅｘｆｏｌｉａｔｉｖｅ  ｃｅｌｌｓ）を取得した後、その取得した剥離細胞を細胞診検査のスライドに塗抹（薄く塗り広げる）することにより、剥離細胞の状態を観察し、診断することができる。
【０００４】
ここで、細胞診検査のスライドに塗抹された剥離細胞が互いに重なることなく薄く一つの層を成すときに、各剥離細胞の正確な観察と診断が可能になる。
【０００５】
ところで、従来の細胞診検査のスライドに対する塗抹は、ユーザが手動で道具（例えば、スポイト、綿棒）を活用して行っていた。
【０００６】
その結果、剥離細胞の特性上、ユーザの皮膚に露出されてしまうと、感染などの虞があり、ユーザの手動操作により塗抹した場合には、その剥離細胞が不均一な層を形成しながら互いに重なってしまう現象が生じ、観察と診断における妨げになるといった問題点があった。
【０００７】
それに応じて、ユーザが道具を活用して手動で検体を扱う従来の技術を排除し、検体が入っているバイアルからそのバイアル内の一部検体を吸引（ｓｕｃｔｉｏｎ）した後、その吸引した検体から一部の検体を細胞塗抹スライドに薄く広げる塗抹作業のための技術実現が求められている。
【発明の概要】
【発明が解決しようとする課題】
【０００８】
本発明は、前記点に鑑みて提案されたものであって、本発明は、検体が入っているバイアルからそのバイアル内側の検体を所定量吸引した後、その吸引した検体から一部の剥離細胞を細胞塗抹スライドに薄く広げる塗抹作業を行うための剥離細胞の処理装置を提供することを目的とする。
【課題を解決するための手段】
【０００９】
前記目的を達成するために、本発明に係る剥離細胞の処理装置は、ベース１１０と、ベースの上面に立設されている支持壁１２０と、ベースの上面に装着され、剥離細胞及び液体培地を入れた上部が開口された形態の容器部材を己の上面に装着させる容器支持部材１３１と、支持壁の長さ方向に沿って容器支持部材によって把持された状態の容器部材の内外部を上下方向に出入りしながら、容器部材内の剥離細胞及び液体培地をコレクトする検体コレクタ１４０と、検体コレクタを把持した状態で支持壁の壁に沿って動き、検体コレクタが容器部材内の剥離細胞及び液体培地を吸引するようにインタフェースする吸引ガイドブロック１５０と、検体コレクタが容器部材の内側に挿入された状態で、検体コレクタが容器部材内の剥離細胞及び液体培地を吸引するように、ポンプ動作制御部の制御で動作し、吸引ガイドブロックを介して検体コレクタに吸引力を提供する吸引ポンプ１６０と、容器支持部材の側部に配置されて容器支持部材と共に左右に動きながら、検体コレクタの鉛直下方に配置された状態で、検体コレクタの下方ストロークの際に、検体コレクタの下面と接触することによって、検体コレクタの下面に付着している剥離細胞を己の上面に付着させる細胞塗抹スライド１７０と、を含んで構成されてもよい。
【００１０】
そのとき、検体コレクタ１４０は、上部が開口された中空状のコレクタ本体１４１と、容器部材の下部を機構的に遮断する形で配置され、容器部材内の剥離細胞及び液体培地の出入りが可能なように複数の通孔が形成された通孔型プレート１４２と、通孔型プレートの下面に装着され、吸引ポンプの吸引動作に連動してコレクタ本体内に吸引力が提供された場合、容器部材内の液体培地は、コレクタ本体内に移動するように通過させ、容器部材内の剥離細胞は、己の下面でろ過する細胞コレクトフィルタ１４３と、を含んで構成されてもよい。
【００１１】
そして、吸引ガイドブロック１５０は、ユーザの把持操作に応じて支持壁の壁に沿って動くように、ブロック状に形成されたユーザ操作ブロック１５１と、ユーザ操作ブロックの下面に装着される支持プレート１５２と、吸引ポンプと連通するように、支持プレートとユーザ操作ブロックを順次貫通して上下方向に嵌り、検体コレクタの開口された上部が己の下部に嵌ることによって、吸引ポンプによる吸引力を検体コレクタに伝達する吸引ホルダ部材１５３と、検体コレクタが吸引ホルダ部材に嵌った状態で、検体コレクタの内壁と吸引ホルダ部材の外壁が互いに密着された状態を維持するように、吸引ホルダ部材の外壁を取り囲む形で配置されるＯリング１５４と、吸引ホルダ部材に己の中央部が貫通された状態で支持プレートの下面に配置され、吸引ホルダ部材の外表面に沿って下方に移動する際に、吸引ホルダ部材に嵌った検体コレクタを吸引ホルダ部材から分離させ、弾性力により吸引ホルダ部材の外表面に沿って上方に移動する下方向エジェクタ１５５と、支持プレートを貫通した状態で、己の下端部が下方向エジェクタに結合され、ユーザの操作に応じて、下方向ストロークの際に、前記下方向エジェクタを下方向にストロークさせる複数の可動ロッド１５６と、支持プレートの上部に対応する複数の可動ロッドをそれぞれつなぐ形で配置されて、ユーザの操作に応じた下向きの外力を複数の可動ロッドに伝達し、複数の可動ロッドを下方向にストロークさせるストロークハンドル１５７と、ストロークハンドルと支持プレートとの間に対応する可動ロッドに嵌り、可動ロッドの長さ方向に沿って伸びる引張力を備えることにより、下方向エジェクタの上面を支持プレートの下面に自然に当接させるバネと、を含んで構成されてもよい。
【００１２】
一方、本発明は、支持壁の前面に対応するベースの上面から左右に長く配置される水平ガイドレール２１０と、己の上面に容器支持部材が結合され、容器支持部材の側部に対応し、細胞塗抹スライドが装着されるスライド支持部材１３２が結合された状態で、水平ガイドレールに沿って左右に摺動する左右移動ガイドブロック２２０と、水平ガイドレールの両端部にそれぞれ配置され、左右移動ガイドブロックの左右方向の動きを制御する第１及び第２のストッパ２３０，２４０と、をさらに含んで構成されてもよい。
【００１３】
そして、吸引ガイドブロックが位置する支持壁の前面から上下方向に長く配置されている垂直ガイドレール３１０と、吸引ガイドブロックが一体に結合された状態で、垂直ガイドレールに沿って上下に摺動する上下移動ガイドブロックと、垂直ガイドレールの上下端部にそれぞれ配置され、吸引ガイドブロックの上下方向の動きを制御する第３及び第４のストッパ３３０，３４０と、上下移動ガイドブロックに装着された状態で上方向の復元力を有するように構成されることにより、上下移動ガイドブロックを、垂直ガイドレールの上端部に配置される第３のストッパに自然に係止させるテンション部材と、をさらに含んで構成されてもよい。
【００１４】
また、ベースに装着された状態で、吸引ホルダ部材と導管で連通結合され、容器部材内の液体培地が、吸引ポンプの動作によって吸引ホルダ部材まで引き込まれる場合、その引き込まれた液体培地を一時的に貯蔵する廃液容器部材４１０と、をさらに含んで構成されてもよい。
【００１５】
またさらに、本発明は、垂直ガイドレールと平行に、支持壁の上下方向に沿って支持壁を長く貫通して形成されるカットスロット部材１２１と、カットスロット部材に隣接する支持壁の背面に配置され、ポンプ動作制御部にスイッチのオン・オフ信号を伝達することにより、ポンプ動作制御部の制御下、吸引ポンプの動作をオン・オフさせるポンプ動作スイッチ４２０と、カットスロット部材を貫通して吸引ガイドブロックの背面に結合された状態で、吸引ガイドブロックの上下方向の動きに連動して上下方向に動く際に、ポンプ動作スイッチに備えられるポンプ動作レバーの動きに応じて、ポンプ動作スイッチにスイッチのオン・オフ信号を生成させる吸引アーム４３０と、をさらに含んで構成されてもよい。
【発明の効果】
【００１６】
本発明は、検体コレクタを有することで、バイアルから一部の検体を吸引するプロセスにおいて、一部の剥離細胞を検体コレクタの下面に薄く広げられた状態で付着させるといった利点を示す。
【００１７】
また、本発明は、剥離細胞が検体コレクタの下面に薄く広がった状態で吸引されることにより、検体コレクタが上下方向にストロークされる動作のみでも、検体コレクタの下部に位置する剥離細胞のうちの一部の剥離細胞が細胞塗抹スライドの上面に薄く広がって移り渡るようにする利点を示す。
【００１８】
また、本発明は、容器支持部材とスライド支持部材が左右移動ガイドブロックに搭載された状態で、左右に移動しながら検体コレクタの鉛直下方に位置するように構成されることで、剥離細胞の処理装置をコンパクトに構成したという利点も示す。従来の剥離細胞の処理装置は、容器部材から剥離細胞を吸引する構成と、その吸引された剥離細胞をスライドに塗抹する構成を別途備えていたが、それにより装置のサイズが非常に大きくなるという限界があった。
【図面の簡単な説明】
【００１９】
【図１】本発明に係る剥離細胞の処理装置を示す例示図１である。
【図２】本発明に係る剥離細胞の処理装置を示す例示図２である。
【図３】図１の外郭ハウジングを取り外した状態を示す図である。
【図４】図３を別の角度から示した図である。
【図５】図４の水平ガイドレールと垂直ガイドレールを視認できるように示した図である。
【図６】本発明の構成である検体コレクタが搭載された状態の吸引ガイドブロックの抜粋図である。
【図７】図６の検体コレクタが離脱した状態の吸引ガイドブロックを示す図である。
【図８】図７の吸引ガイドブロックの各構成が分離された状態を示す図である。
【図９】図８の検体コレクタを抜粋して切開した断面図である。
【図１０】図９を別の角度から示した図である。
【発明を実施するための形態】
【００２０】
以下、図面を参照し、本発明について詳細に説明する。
【００２１】
図１は、本発明に係る剥離細胞の処理装置を示す例示図１であり、図２は、本発明に係る剥離細胞の処理装置を示す例示図２であり、図３は、図１の外郭ハウジングを取り外した状態を示した図であり、図４は、図３を別の角度から示した図であり、図５は、図４の水平ガイドレールと垂直ガイドレールを視認できるように示した図である。
【００２２】
図１ないし図５を参照すると、本発明に係る剥離細胞の処理装置は、ベース１１０、支持壁１２０、容器支持部材１３１、検体コレクタ１４０、吸引ガイドブロック１５０、吸引ポンプ１６０、及び細胞塗抹スライド１７０を含んで構成されている。
【００２３】
図１ないし図５に示すように、ベース１１０は、支持壁１２０と補助支持壁１２５を始めとする本発明の各構成を己の上面に搭載する。
【００２４】
そのとき、図１及び図２に示すように、支持壁１２０の枠を包み込む形の外郭ハウジング５１０が、支持壁１２０の背面に配置される各構成を覆う形でベース１１０の上面に取付けられる。
【００２５】
図１ないし図５に示すように、支持壁１２０は、平たいプレート状からなる状態で、ベース１１０の上面に立設されることにより、容器部材１０が位置する己の前方セクションと廃液容器部材４１０が位置する己の後方セクションを区画する。
【００２６】
そして、図３及び図４のように、プレート状の補助支持壁１２５が、支持壁１２０の後方セクションに支持壁１２０と相互直角になるように立てられ、ベース１１０の上面に取付けられる。
【００２７】
ここで、図１ないし図３に示すように、容器部材１０は、己の内側に検体（例えば、剥離細胞及び液体培地）を入れることのできるように、己の上端に内外部の出入りのための入口が形成されてもよい。
【００２８】
ここで、「検体」は、人体から取得した成分から人体の液状成分とその液状成分に混ざっている剥離細胞からなる。そして、剥離細胞が相互に混ざっているか、あるいは浮くようにインタフェースする液状成分であることから、その液状成分を剥離細胞の液体培地で表現した。
【００２９】
また、「検体」には、剥離細胞及び液体培地以外に人体から得られる副産物が含まれてもよい。
【００３０】
図１ないし図３に示すように、容器支持部材１３１は、ブロック状からなり、ベース１１０の上面に装着され、検体を入れた上部が開口した形態の容器部材１０を、己の上面に装着させる。
【００３１】
検体コレクタ１４０は、図１を参照すると、支持壁１２０の長さ方向に沿って容器支持部材１３１に把持された状態の容器部材１０の内外部を上下方向に出入りしながら、容器部材１０内の検体をコレクトする。
【００３２】
図１ないし図３を参照すると、吸引ガイドブロック１５０は、検体コレクタ１４０を把持した状態で支持壁１２０の壁に沿って上下方向に動くように構成され、検体コレクタ１４０が容器部材１０内の検体を吸引するようにインタフェースする。
【００３３】
ここで、吸引ガイドブロック１５０が支持壁１２０の前面において支持壁１２０の上下方向に動く動力は、ユーザが吸引ガイドブロック１５０を把持した状態で支持壁１２０の上下方向に動かせる動作であってもよい。
【００３４】
図４に示すように、吸引ポンプ１６０は、補助支持壁１２５の側壁に取付けられた状態で、検体コレクタ１４０に吸引力を提供する。
【００３５】
つまり、検体コレクタ１４０が容器部材１０の内側に挿入された状態で、ポンプ動作制御部（図示せず）の制御によって吸引ポンプ１６０が動作すると、吸引ガイドブロック１５０を介して検体コレクタ１４０と連通している吸引ポンプ１６０の吸引力に応じて、検体コレクタ１４０が容器部材１０内の検体を吸引する。
【００３６】
その結果、検体コレクタ１４０の内側に検体の一部が吸引されて、検体コレクタ１４０の下面には、容器部材１０の内側から吸引された検体のうち一部の剥離細胞が吸着される。
【００３７】
図１及び図２に示すように、細胞塗抹スライド１７０は、容器支持部材１３１の側部に配置され、ユーザの左右操作に応じて、容器支持部材１３１と共に左右に動く。
【００３８】
ここで、図２に示すように、細胞塗抹スライド１７０が、検体コレクタ１４０の鉛直下方に配置された状態で、検体コレクタ１４０が下方ストロークしたとき、細胞塗抹スライド１７０の上面と検体コレクタ１４０の下面が相互接触すると、検体コレクタ１４０の下面に付着している剥離細胞が細胞塗抹スライド１７０の上面に移り渡ることになる。
【００３９】
この場合、細胞塗抹スライド１７０の上面に付着した剥離細胞は、単一の層で薄く付着されているので、その後、顕微鏡のスライド台にそのままのせるだけで、顕微鏡によって剥離細胞の正確な検査を行える。
【００４０】
一方、本発明に係る剥離細胞の処理装置は、図１ないし図５を参照すると、水平ガイドレール２１０、左右移動ガイドブロック２２０、第１のストッパ２３０、第２のストッパ２４０、垂直ガイドレール３１０、上下移動ガイドブロック３２０、第３のストッパ３３０、第４のストッパ３４０、廃液容器部材４１０、カットスロット部材１２１、ポンプ動作スイッチ４２０、及び吸引アーム４３０をさらに含んで構成されてもよい。
【００４１】
図５に示すように、水平ガイドレール２１０は、支持壁１２０の前面に対応するベース１１０の上面において左右に長く配置され、左右移動ガイドブロック２２０は、水平ガイドレール２１０に沿って左右に摺動する。
【００４２】
そして、左右移動ガイドブロック２２０の上面に容器支持部材１３１が結合され、容器支持部材１３１の側部に対応して、細胞塗抹スライド１７０が装着されるスライド支持部材１３２が結合されて状態で、左右移動ガイドブロック２２０は、水平ガイドレール２１０に沿って左右に摺動する。
【００４３】
ここで、左右移動ガイドブロック２２０の上面には、左右移動取付けブロック２２１が装着され、その左右移動取付けブロック２２１に容器支持部材１３１とスライド支持部材１３２が一体に結合されることで、左右移動ガイドブロック２２０の移動に応じて左右移動取付けブロック２２１が移動する。
【００４４】
第１のストッパ２３０は、水平ガイドレール２１０を移動する左右移動ガイドブロック２２０の左側の移動を制御し、第２のストッパ２４０は、水平ガイドレール２１０を移動する左右移動ガイドブロック２２０の右側の移動を制御する。
【００４５】
図５に示すように、垂直ガイドレール３１０は、吸引ガイドブロック１５０が位置する支持壁１２０の前面において上下方向に長く配置され、上下移動ガイドブロック３２０は、垂直ガイドレール３１０に沿って上下方向に摺動する。
【００４６】
ここで、上下移動ガイドブロック３２０は、吸引ガイドブロック１５０が一体に結合された状態で、垂直ガイドレール３１０に沿って上下に摺動する。
【００４７】
第３のストッパ３３０は、垂直ガイドレール３１０の上端部に配置され、吸引ガイドブロック１５０の上方向の動きを制御し、第４のストッパ３４０は、垂直ガイドレール３１０の下端部に配置され、吸引ガイドブロック１５０の下方向の動きを制御する。
【００４８】
テンション部材（図示せず）は、上下移動ガイドブロック３２０に装着された状態で上方向の復元力を有するように構成されることで、吸引ガイドブロック１５０に外力（例えば、ユーザの操作）が加わらない状態では、上下移動ガイドブロック３２０を第３のストッパ３３０に係止させる。
【００４９】
例えば、検体コレクタ１４０を下方向に移動させるために、ユーザが吸引ガイドブロック１５０を下方向に引っ張ると、吸引ガイドブロック１５０が垂直ガイドレール３１０に沿って下方向に移動するが、ユーザが吸引ガイドブロック１５０に加える外力を解除すると、吸引ガイドブロック１５０は、再び垂直ガイドレール３１０に沿って上方向に移動して上下移動ガイドブロック３２０が第３のストッパ３３０に係止されるまで移動する。
【００５０】
図３ないし図５に示すように、廃液容器部材４１０は、ベース１１０に装着された状態で、吸引ホルダ部材１５３と導管（図示せず）に連通結合され、吸引ポンプ１６０の動作によって容器部材１０内の液体培地が吸引ホルダ部材１５３まで引き込まれる場合、その引き込まれた液体培地をユーザの操作に応じて外部場所に廃棄するまで、一時的に貯蔵する。
【００５１】
図１ないし図５に示すように、カットスロット部材１２１は、垂直ガイドレール３１０と平行に、支持壁１２０の上下方向に沿って支持壁１２０を長く貫通して形成される。
【００５２】
図３ないし図５に示すように、ポンプ動作スイッチ４２０は、カットスロット部材１２１に隣接する支持壁１２０の背面に配置され、スイッチのオン・オフ信号をポンプ動作制御部（図示せず）に伝達することにより、ポンプ動作制御部（図示せず）の制御下、吸引ポンプ１６０の動作をオン・オフさせる。
【００５３】
図３ないし図５に示すように、吸引アーム４３０は、カットスロット部材１２１を貫通して吸引ガイドブロック１５０の背面に結合された状態で、吸引ガイドブロック１５０の上下方向の動きに連動して上下方向に動く際に、ポンプ動作スイッチ４２０に備えられたポンプ動作レバー（図示せず）を動かす。
【００５４】
その結果、ポンプ動作スイッチ４２０は、ポンプ動作レバー（図示せず）の動きに連動して、吸引ポンプ１６０の動作オン・オフのために、ポンプ動作制御部（図示せず）に伝達するスイッチのオン・オフ信号を生成する。
【００５５】
なお、図面符号４６０は、吸引時間設定ボタンを示し、図面符号４７０は、電源ボタンを示す。
【００５６】
ここで、吸引時間設定ボタン４６０に対応する吸引時間制御部（図示せず）は、ポンプ動作制御部（図示せず）と連動して吸引ポンプ１６０の１回の動作時間（例えば、３秒）を制御するように構成されてもよい。
【００５７】
図６は、本発明の構成である検体コレクタが搭載された状態の吸引ガイドブロックの抜粋図であり、図７は、図６の検体コレクタが離脱した状態の吸引ガイドブロックを示す図であり、図８は、図７の吸引ガイドブロックの各構成が分離された状態を示す図である。
【００５８】
図６ないし図８に示すように、吸引ガイドブロック１５０は、ユーザ操作ブロック１５１、支持プレート１５２、吸引ホルダ部材１５３、Ｏリング１５４、下方向エジェクタ１５５、可動ロッド１５６、ストロークハンドル１５７、及びバネ（図示せず）を含んで構成されてもよい。
【００５９】
ユーザ操作ブロック１５１は、ユーザの把持操作が可能なように、ブロック状からなり、ユーザの移動操作やテンション部材の復元力により支持壁１２０の壁に沿って動く。
【００６０】
図６ないし図８に示すように、支持プレート１５２は、平たいプレート状からなり、ユーザ操作ブロック１５１の下面に装着される。
【００６１】
吸引ホルダ部材１５３は、吸引ポンプ１６０と連通するように、支持プレート１５２とユーザ操作ブロック１５１とを順次貫通し、支持プレート１５２とユーザ操作ブロック１５１とに上下方向に嵌る。
【００６２】
そして、吸引ホルダ部材１５３は、検体コレクタ１４０の開口した上部が己の下部に嵌ることのより、吸引ポンプ１６０による吸引力を検体コレクタ１４０に伝達するように構成されている。
【００６３】
ここで、吸引ホルダ部材１５３は、補助支持壁１２５に装着される吸引ポンプ１６０と導管（図示せず）を介して結合されてもよい。
【００６４】
図８に示すように、Ｏリング１５４は、吸引ホルダ部材１５３の外壁を取り囲む形で配置されることにより、検体コレクタ１４０が吸引ホルダ部材１５３に嵌ったとき、検体コレクタ１４０の内壁と吸引ホルダ部材１５３の外壁が相互に密着された状態を維持させる。
【００６５】
図６ないし図８に示すように、下方向エジェクタ１５５は、吸引ホルダ部材１５３に己の中央部が貫通された状態で、支持プレート１５２の下面に配置される。
【００６６】
図７に示すように、下方向エジェクタ１５５は、吸引ホルダ部材１５３の外表面に沿って下方に移動すると、吸引ホルダ部材１５３に嵌った検体コレクタ１４０を吸引ホルダ部材１５３から分離させ、可動ロッド１５６に嵌るバネの弾性復元力によって、図６に示すように、吸引ホルダ部材１５３の外表面に沿って上方に移動するように構成されている。
【００６７】
ここで、図６ないし図８に示すように、可動ロッド１５６は、複数のものが支持プレート１５２を貫通した状態で、己の下端部が下方向エジェクタ１５５に結合され、ユーザの操作に応じて、下方向ストロークの際に下方向エジェクタ１５５を下方向にストロークさせる。
【００６８】
ストロークハンドル１５７は、支持プレート１５２の上部に対応する複数の可動ロッド１５６をそれぞれ繋ぐ形で配置され、ユーザの操作に応じた下向きの外力を複数の可動ロッド１５６に伝達して、複数の可動ロッド１５６を下方向にストロークさせる。
【００６９】
バネ（図示せず）は、ストロークハンドル１５７と支持プレート１５２との間に対応する可動ロッド１５６に嵌められる。
【００７０】
その結果、バネ（図示せず）は、可動ロッド１５６の長さ方向に沿って伸びる引張力を形成し、それに応じて下方向エジェクタ１５５の上面を支持プレート１５２の下面に自然に当接させる。
【００７１】
一方、図１ないし図８を参照して、本発明に係る剥離細胞の処理装置の動作を簡単に示すと、以下のとおりである。
【００７２】
まず、電源ボタン４７０を押して、装置をターンオンさせる。そして、吸引時間設定ボタン４６０を操作することにより、吸引時間制御部（図示せず）が、ポンプ動作制御部（図示せず）と連動して、吸引ポンプ１６０の吸引持続時間である１回の動作時間（例えば、３秒）を設定する。
【００７３】
次いで、検体コレクタ１４０を吸引ホルダ部材１５３に装着し、細胞塗抹スライド１７０と容器部材１０をロードする。
【００７４】
そして、吸引ガイドブロック１５０のユーザ操作に応じて、検体コレクタ１４０の下部が容器部材１０の内側に入るようにする。
【００７５】
そのとき、検体コレクタ１４０が下方向に移動すると、吸引ポンプ１６０の動作に応じて自動的に吸引が開始され、吸引時間設定ボタン４６０によって設定したユーザの操作時の時間にかけて、吸引が行われる。
【００７６】
その吸引が行われている間、容器部材１０内の剥離細胞は、検体コレクタ１４０の下部に装着された細胞コレクトフィルタ１４３に移り渡され、そのうち液体培地は、検体コレクタ１４０の内側に移動する。
【００７７】
また、ユーザの操作に応じて左右移動取付けブロック２２１を横に移動させて、細胞塗抹スライド１７０を検体コレクタ１４０の鉛直下方に位置させる。
【００７８】
次いで、ユーザの操作に応じて吸引ガイドブロック１５０を下方向に引っ張ると、検体コレクタ１４０が下方向に移動し、その検体コレクタ１４０の下部に装着された細胞コレクトフィルタ１４３が細胞塗抹スライド１７０に触れることで、その細胞コレクトフィルタ１４３の下面に付着していた剥離細胞のうち一部の剥離細胞が、細胞塗抹スライド１７０の上面に判子を押すように塗抹される。
【００７９】
ここで、検体コレクタ１４０が、細胞塗抹スライド１７０の鉛直上方に位置する場合にも、吸引ガイドブロック１５０の鉛直上下方向の動きに連動して吸引ポンプ１６０が動作し、検体コレクタ１４０が吸引する動作をする。
【００８０】
このように、細胞塗抹スライド１７０の鉛直上下方向を移動する検体コレクタ１４０が吸引を行うと、検体コレクタ１４０の内側に入れられている液体培地が下方向に落下することを防止することができる。
【００８１】
図９は、図８の検体コレクタを抜粋して切開した断面図であり、図１０は、図９を別の角度から示した図である。
【００８２】
検体コレクタ１４０は、コレクタ本体１４１、通孔型プレート１４２、及び細胞コレクトフィルタ１４３を含んで構成されてもよい。
【００８３】
図９及び図１０に示すように、コレクタ本体１４１は、上部が開口した中空状の円筒形からなる。
【００８４】
図９及び図１０に示すように、通孔型プレート１４２は、容器部材１０の下部を機構的に遮断する形で配置されてもよい。そして、通孔型プレート１４２には、容器部材１０内の剥離細胞及び液体培地の出入りが可能なように複数の通孔が形成される。
【００８５】
ここで、コレクタ本体１４１と通孔型プレート１４２は、プラスチック射出物として一体に成形されてもよい。
【００８６】
図９と図１０に示すように、細胞コレクトフィルタ１４３は、通孔型プレート１４２の下面に装着される。そして、細胞コレクトフィルタ１４３は、好ましくは多孔質膜であるメンブレンフィルタで構成されてもよい。
【００８７】
その結果、細胞コレクトフィルタ１４３は、吸引ポンプ１６０の吸引動作に連動してコレクタ本体１４１内に吸引力が提供された場合、容器部材１０内の液体培地はコレクタ本体１４１内に移動するように通過させ、容器部材１０内の剥離細胞は、己の下面でろ過させる。
【００８８】
そのとき、吸引ポンプ１６０の吸引力によって細胞コレクトフィルタ１４３が受ける外力は、通孔型プレート１４２によって支持されてもよい。
【００８９】
詳細には、細胞コレクトフィルタ１４３は、スポンジのサブメンブレンとフィルムのマイクロメンブレンで構成されてもよい。サブメンブレンは、液体培地を吸収する機能を果たし、マイクロメンブレンは、サブメンブレンの下面に位置して剥離細胞が直接触れる部分である。
【図１】
2021536008.tif 000003
【図２】
2021536008.tif 000004
【図３】
2021536008.tif 000005
【図４】
2021536008.tif 000006
【図５】
2021536008.tif 000007
【図６】
2021536008.tif 000008
【図７】
2021536008.tif 000009
【図８】
2021536008.tif 000010
【図９】
2021536008.tif 000011
【図１０】
2021536008.tif 000012
【国際調査報告】
2021536008.tif 000013
2021536008.tif 000014
2021536008.tif 000015
2021536008.tif 000016